(57)【要約】  調節可能車両座席構造は、車両フレームに連結された複数のストライカと、インボード車両座席と、アウトボード車両座席とを含む。少なくとも１つのアウトボード座席後部ストライカは、アウトボード座席後部ストライカを少なくとも２つの横方向に離間した係止区分に分割する係止区分仕切り部を含む。アウトボード車両座席は、アウトボード座席後部ストライカと協働するアウトボード座席後部ラッチと、アウトボード座席前部ストライカと協働するアウトボード座席前部ラッチとを含む。アウトボード座席は、インボード座席と概して横方向に整列しまたそれから横方向にオフセットしている。アウトボード座席は横方向に調節可能であり、アウトボード座席後部ラッチは、少なくとも２つの横方向に離間した係止区分の各々でアウトボード座席後部ストライカに係合するように構成されている。また、車両座席を横方向に調節する方法および車両座席アセンブリも開示される。
2013512135.tif 000002
【特許請求の範囲】
【請求項１】
アウトボード座席前部ストライカおよび少なくとも２つのアウトボード座席後部ストライカを含む、車両フレームに連結された複数のストライカであって、前記アウトボード座席後部ストライカのうちの少なくとも１つが、該少なくとも１つのアウトボード座席後部ストライカを少なくとも２つの横方向に離間した係止区分に分割する係止区分仕切り部を含む、複数のストライカと；
車両フレームに取り付けたインボード車両座席と；
各々のアウトボード座席後部ストライカとそれぞれ協働する少なくとも２つのアウトボード座席後部ラッチと、前記アウトボード座席前部ストライカと協働するアウトボード座席前部ラッチとを含むアウトボード車両座席であって、該アウトボード座席が前記インボード座席に対して概して横方向に整列しまた横方向にオフセットしており、前記アウトボード座席が横方向に調節可能であって、前記アウトボード座席後部ラッチの少なくとも１つが、前記少なくとも２つの横方向に離間した係止区分の各々で前記少なくとも１つのアウトボード座席後部ストライカと係合するように構成されている、アウトボード車両座席と
を備える、車両座席構造。
【請求項２】
前記アウトボード座席後部ラッチが各々のアウトボード座席後部ストライカとの係合を解除し、前記アウトボード座席前部ラッチが各々のアウトボード座席前部ストライカと係合しているときは、前記車両座席は前記アウトボード座席前部ストライカにより概して規定される軸の周りに回動可能であり、前記車両座席は横方向に移動可能であることを特徴とする請求項１に記載の車両座席構造。
【請求項３】
前記少なくとも１つのアウトボード座席後部ラッチが第１作動位置、第２作動位置、および第３作動位置に作動可能であり、前記第１作動位置では前記少なくとも１つのアウトボード座席後部ラッチが前記少なくとも１つのアウトボード座席後部ストライカに前記少なくとも２つの係止区分のうち第１係止区分で係合し、前記第２作動位置では前記少なくとも１つのアウトボード座席後部ラッチが前記少なくとも１つのアウトボード座席後部ストライカに前記少なくとも２つの係止区分のうち第２区分で係合し、前記第３作動位置では前記少なくとも１つのアウトボード座席後部ラッチが前記少なくとも１つのアウトボード座席後部ストライカとの係合を解除することを特徴とする請求項１に記載の車両座席構造。
【請求項４】
前記少なくとも１つのアウトボード座席後部ラッチが第１作動位置にあるときは、前記係止区分仕切り部が前記少なくとも１つのアウトボード座席後部ラッチに接触して前記第１係止区分から前記第２係止区分側へ前記少なくとも１つのアウトボード座席後部ラッチが横方向移動することを阻止することを特徴とする請求項３に記載の車両座席構造。
【請求項５】
前記アウトボード座席ストライカに隣接するガーニッシュを更に備え、該ガーニッシュが、前記係止区分仕切り部と長手方向に整列しアウトボード座席と協働して横方向に車両座席を位置決めする位置決め壁部を含むことを特徴とする請求項１に記載の車両座席構造。
【請求項６】
前記位置決め壁部が前記アウトボード座席後部ストライカと前記アウトボード座席前部ストライカとの間に配設されることを特徴とする請求項５に記載の車両座席構造。
【請求項７】
前記アウトボード座席が、前記位置決め壁部と選択的に協働する位置決め機能部を含むことを特徴とする請求項５に記載の車両座席構造。
【請求項８】
前記係止区分仕切り部が環状隆起部であることを特徴とする請求項１に記載の車両座席構造。
【請求項９】
前記少なくとも１つのアウトボード座席後部ストライカが円形断面を有する概してＵ型形状であり、前記係止区分仕切り部が前記円形断面の円周を囲繞することを特徴とする請求項８に記載の車両座席構造。
【請求項１０】
前記アウトボード座席が左側中列座席と右側中列座席とを含むことを特徴とする請求項１に記載の車両座席構造。
【請求項１１】
前記インボード座席が前記左側中列座席と前記右側中列座席との間に横方向に配設されることを特徴とする請求項１０に記載の車両座席構造。
【請求項１２】
前記インボード座席を前記車両フレームに取り付けるためのインボード座席後部ストライカを更に備え、該インボード座席後部ストライカの横方向寸法が前記アウトボード座席後部ストライカよりも小さいことを特徴とする請求項１に記載の車両座席構造。
【請求項１３】
前記アウトボード座席後部ストライカの横方向寸法が前記インボード座席後部ストライカの横方向寸法の少なくとも約２倍であることを特徴とする請求項１２に記載の車両座席構造。
【請求項１４】
車両フレームに連結された後部ストライカと車両座席の後部ラッチとの係合を解除すること；
前記車両座席の前部ラッチが前記車両フレームに連結された前部ストライカに係合している間に、前記車両座席を前記後部ストライカから離間するように回動すること；
前記後部ラッチが前記後部ストライカとの係合を解除して離間するように回動され、前記前部ラッチが前記前部ストライカと係合している間に、前記車両座席を横方向に移動すること；
前記後部ラッチを前記後部ストライカに係合すること
を備える車両座席を横方向に調節する方法。
【請求項１５】
前記車両座席を回動することが、前記後部ラッチが前記後部ストライカ上の突出部を越えるように前記車両座席を回動することを含むことを特徴とする請求項１４に記載の方法。
【請求項１６】
車両フレームに固定するための後部ラッチと前部ラッチとを含み、第１横方向位置と、該第１横方向位置から横方向にオフセットした第２横方向位置とに作動可能である車両座席と；
概して円筒形状の水平区分と該水平区分を第１係止区分と第２係止区分とに分割する略環状の係止区分仕切り部とを含み、前記車両座席を前記車両フレームに固定するための前記後部ラッチと協働する後部ストライカであって、前記車両座席が前記第１横方向位置にあるときには前記後部ラッチが前記第１係止区分に係合し、前記車両座席が前記第２横方向位置にあるときには前記後部ラッチが前記第２係止区分に係合する後部ストライカと；
前記車両座席を前記車両フレームに固定するための、前記前部ラッチと協働する前部ストライカと
を含む車両座席アセンブリ。
【請求項１７】
前記係止区分仕切り部が前記水平区分の円周全部を囲繞することを特徴とする請求項１６に記載のアセンブリ。
【請求項１８】
前記前部ラッチが前記車両座席に固定され、該座席と一緒に移動することを特徴とする請求項１６に記載のアセンブリ。
【請求項１９】
各ストライカが概してＵ型形状であることを特徴とする請求項１６に記載のアセンブリ。
【請求項２０】
前記後部ストライカが、内側後部ストライカと、該内側後部ストライカから横方向に離間した外側後部ストライカとを含み、前記後部ラッチが、内側後部ラッチと外側後部ラッチとを含み、前記内側後部ラッチが前記内側後部ストライカに係止し、前記外側後部ラッチが前記外側後部ストライカに係止することを特徴とする請求項１９に記載のアセンブリ。
【発明の詳細な説明】
【背景】
【０００１】
本開示は概して、ワゴン車、ミニバン、ＳＵＶ車などの大きめの車両に見られる車両座席に関する。これらの大きめの車両は、運転者が位置する第１列座席、第１列の後ろの第２列座席、第２列の後ろの第３列座席、の３列の車両座席を含むことができる。第３列座席への進入およびそこからの退出は困難であり得る。中列座席とも呼ぶ第２列は、２つのアウトボード座席を含み、これらのアウトボード座席は、乗員が第３列座席へアクセスするのを可能とするように回動するか前方へ転倒する。しかしながら、各アウトボード座席の最外縁部は、車両の側枠ピラーの近辺に配置されている。従って、第３列座席への進入およびそこからの退出のための空間は依然限られている。
【０００２】
第２列座席のアウトボード座席の幅を減少することによって進入・退出のための空間をより多く確保することが可能である。しかしながら、これにより、チャイルドシートと一般に呼ばれる子供用拘束装置に問題が生じる可能性がある。これらの公知のチャイルドシートは通常車両座席上に載置され、そこに係止される。これらの第２列の座席にチャイルドシートを支持するための最低限の幅が望まれるため、アウトボード座席の幅を減少することは実用的ではないかもしれない。
【簡単な説明】
【０００３】
前記欠点を克服可能である調節可能な車両座席構造は、車両フレームに連結された複数のストライカ、インボード車両座席、およびアウトボード車両座席を含む。これら複数のストライカは、アウトボード座席前部ストライカと少なくとも２つのアウトボード座席後部ストライカとを含む。アウトボード座席後部ストライカのうち少なくとも１つは、この少なくとも１つのアウトボード座席後部ストライカを少なくとも２つの横方向に離間した係止区分に分割する係止区分仕切り部を含む。インボード車両座席は車両フレームに取り付けられる。アウトボード車両座席は、それぞれのアウトボード座席後部ストライカと協働する少なくとも２つのアウトボード座席後部ラッチと、アウトボード座席前部ストライカと協働するアウトボード座席前部ラッチとを含む。アウトボード座席は、インボード座席に対して概して横方向に整列しておりまた横方向にオフセットしている。アウトボード座席は横方向に調節可能であって、アウトボード座席後部ラッチのうち少なくとも１つが、前記少なくとも２つの横方向に離間した係止区分の各々で前記少なくとも１つのアウトボード座席後部ストライカと係合するように構成されている。
【０００４】
車両座席を横方向に調節する方法は、車両座席の後部ラッチと後部ストライカとの係合を解除すること、後部ストライカから離間するように車両座席を回動すること、後部ラッチと後部ストライカとの係合が解除されている間に車両座席を横方向に移動すること、および後部ラッチを後部ストライカに係合することを含む。この方法は、車両座席の後部ラッチと、車両フレームに連結した後部ストライカとの係合を解除することを含むことができる。この方法は更に、車両座席の前部ラッチが車両フレームに連結した前部ストライカに係合している間に、後部ストライカから離間するように車両座席を回動することを含むことができる。この方法は更に、後部ラッチと後部ストライカとの係合を解除しそして後部ラッチが離間するように回動され、前部ラッチが前部ストライカに係合している間に、車両座席を横方向に移動することを含むことができる。
【０００５】
車両座席アセンブリは、車両座席と、後部ストライカと、前部ストライカとを含む。車両座席は、第１横方向位置と、第１横方向位置から横方向にオフセットした第２横方向位置とに作動可能である。車両座席は、座席を車両フレームに固定するための後部ラッチと前部ラッチとを含む。後部ストライカは、車両座席を車両フレームに固定するための後部ラッチと協働する。後部ストライカは、概して円筒形状の水平区分と、水平区分を第１係止区分と第２係止区分とに分割する略環状係止区分仕切り部とを含む。後部ラッチは車両座席が第１横方向位置にあるときに第１係止区分に係合し、後部ラッチは車両座席が第２横方向位置にあるときに第２係止区分に係合する。前部ストライカは、車両座席を車両フレームに固定するために前部ラッチと協働する。
【図面の簡単な説明】
【０００６】
図１は車両用の中列座席構造の斜視図である。
【０００７】
図２は車両用の中列ストライカ構造の斜視図である。
【０００８】
図３は図２に示す中列ストライカ構造の右外側ストライカ構造の拡大斜視図である。
【０００９】
図４は図１に示す中列座席構造の右側座席の下部分と図３に示す右外側ストライカ構造の一部分の斜視図である。
【００１０】
図５は図１に示す右側座席の部品と図２に示すストライカ構造の部分の斜視図である。
【００１１】
図６は図１に示す右側座席と図３に示す右外側ストライカ構造の側面図である。
【００１２】
図７は図１に示す右側座席の内部部品と図３に示す右外側ストライカ構造の斜視図である。
【００１３】
図８は後部ストライカに係合する、図１に示す右側座席のための後部ラッチの側面図である。
【詳細な説明】
【００１４】
図１を参照して、車両用の中列座席構造１０は、インボード（センター）車両座席１２と、例示の実施態様では右側座席１４および左側座席１６を含むアウトボード車両座席とを含むよう示されている。例えば、中列座席構造は、ワゴン車、ミニバン、またはＳＵＶにおける第２列座席であることができる。各アウトボード座席１４，１６は、インボード座席１２と概して横方向に整列、つまり同列にあり、またインボード座席１２から横方向にオフセットしている。例示の実施態様では、中央座席とも言及することができるインボード座席１２は、座席ベース部２０と座席背後部２２とを含む。右側座席１４も座席ベース部２４と座席背後部２６とを含む。左側座席１６も座席ベース部２８と座席背後部３２とを含む。各座席背後部２２，２６，３２は、それぞれのベース部２０，２４，２８に対して従来の方法で回動可能である。
【００１５】
図２を参照して、中列ストライカ構造４０が示される。中列ストライカ構造４０は、車両フレーム（図示せず）に連結されて車両床部４２上に配置される複数のＵ型形状のストライカを含む。例示の実施態様の各ストライカは、円形断面を有する金属棒材から形成される。所望により、詳細を後述する後部ストライカの少なくともいくつかは、他の場所で車両フレームに取り付けることができる。中列ストライカ構造４０は、例示の実施態様ではインボード座席右側後部ストライカ４４とインボード座席左側後部ストライカ４６とを含むインボード座席後部ストライカを含む。また、図示の中列ストライカ構造４０は、例示の実施態様ではインボード座席右側前部ストライカ４８とインボード座席左側前部ストライカ５２とを含むインボード座席前部ストライカを含む。
【００１６】
また、中列ストライカ構造４０を構成する複数のストライカは、例示の実施態様では右側座席外側後部ストライカ６０と、右側座席内側後部ストライカ６２と、左側座席外側後部ストライカ６４と、左側座席内側後部ストライカ６６とを含むアウトボード座席後部ストライカを含む。また、例示の実施態様で中列ストライカ構造４０を構成する複数のストライカは、例示の実施態様では右側座席外側前部ストライカ７０と、右側座席内側前部ストライカ７２と、左側座席外側前部ストライカ７４と、左側座席内側前部ストライカ７６とを含むアウトボード座席前部ストライカを含む。
【００１７】
図２を引き続き参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造を含む。例示の実施態様のガーニッシュ８０，８２，８４，８６，８８，９０はプラスチック製であり、従来の方法で車両床部４２に取り付けられる。右側座席外側後部ストライカ６０および右側座席外側前部ストライカ７０はそれぞれ外右側ガーニッシュ８０にある開口部を貫通する。インボード座席右側後部ストライカ４４および右側座席内側後部ストライカ６２はそれぞれ内右側後部ガーニッシュ８２にある開口部を貫通する。インボード座席右側前部ストライカ４８および右側座席内側前部ストライカ７２は内右側前部ガーニッシュ８４にある開口部を貫通する。インボード座席右後部ストライカ４６および左側座席内側後部ストライカ６６はそれぞれ内左側後部ガーニッシュ８６にある開口部を貫通する。インボード座席左前部ストライカ５２および左側座席内側前部ストライカ７６はそれぞれ内右側前部ガーニッシュ８８にある開口部を貫通する。左側座席外側後部ストライカ６４および左側座席外側前部ストライカ７４はそれぞれ外左側ガーニッシュ９０にある開口部を貫通する。外右側ガーニッシュ８０は外左側ガーニッシュ９０の鏡像であってもよい。内右側後部ガーニッシュ８２は内左側後部ガーニッシュ８６の鏡像であってもよい。内右側前部ガーニッシュ８４は内左側前部ガーニッシュ８８の鏡像であってもよい。
【００１８】
複数の概してＵ型形状のストライカ４４，４６，４８，５２，６０，６２，６４，６６，７０，７２，７４，７６は、少なくとも２つのアウトボード座席後部ストライカ、例えばストライカ６０，６２，６４，６６、および少なくとも２つのアウトボード座席前部ストライカ、例えばストライカ７０，７２，７４，７６を含む。例示の実施態様では、アウトボード座席後部ストライカの少なくとも１つ、例えばストライカ６０，６４が、それぞれ少なくとも１つのアウトボード座席後部ストライカを、詳細を後述する少なくとも２つの横方向に離間した係止区分に分割する係止区分仕切り部１００，９８を含む。
【００１９】
次に、車両床部４２（従って、車両床部に連結される車両フレーム）に連結する右側座席１４の部品を示す図３〜図５を参照する。左側座席１６も同様に連結されるので、左側座席が同様の構成となることを理解した上で、図３〜図５に示す部品を詳細に説明する。
【００２０】
図３により明らかに示されるように、前記アウトボード座席後部ストライカの１つである右側座席外側後部ストライカ６０は、右側座席外側後部ストライカを、例示の実施態様では第１（内側）係止区分１０２と第２（外側）係止区分１０４である、少なくとも２つの横方向に離間した係止区分に分割する係止区分仕切り部１００を含む。上述したように、各ストライカは概してＵ型形状であり、図３に示すように右側座席外側後部ストライカ６０は、係止区分１０２，１０４を含む概して円筒形状の水平区分１０６を含む。右側座席外側後部ストライカ６０はまた、車両フレームに固定、例えば溶接することができる概して垂直方向に配向した区分１０８，１１０を含む。
【００２１】
例示の実施態様では、係止区分仕切り部１００は環状隆起部である。環状隆起部１００は、概して円筒形状の水平区分１０６を囲繞し、外側垂直区分１０８と内側垂直区分１１０の間の横方向中心部に配設される。他の実施態様では、係止区分仕切り部９８，１００はそれぞれの水平区分上のいかなる場所にも配置可能であり、また、係止区分仕切り部は、水平区分を完全に囲繞する環状隆起部でなくてもよく、概して水平区分から延出する突出部などの他の構造とすることが可能である。
【００２２】
図３を再び参照して、外右側ガーニッシュ８０は、右側座席外側後部ストライカ６０と右側座席外側前部ストライカ７０とを収納する窪み部１２０を画成する。窪み部１２０は、右側座席１４の横方向調節を許容する横方向寸法を有する。この横方向調節の詳細は後述する。また、外右側ガーニッシュ８０は、中列座席構造１０（図１）を搭載した車両の進行方向と概して平行である長手方向で係止区分仕切り部１００と整列する位置決め壁部１２２を含む。例示の実施態様では、位置決め壁部１２２は、窪み部１２０内部で後部ストライカ６０と前部ストライカ７０との間に配設される。例示の実施態様ではまた、横方向に測定される位置決め壁部１２２の幅は、横（軸）方向に測定される係止区分仕切り部１００の幅と略等しい。位置決め壁部１２０は右側座席１４と協働して、詳細を後述する方法で横方向に右側座席を位置決めする。
【００２３】
再び図１を参照して、中央車両座席１２は、インボード（センター）車両座席１２を車両フレーム（図示せず）に搭載可能とする従来の方法でストライカ４４，４６，４８，５２（図２）に取り付けられる。中央座席１２は、中央座席前部ストライカ４８，５２（図２）と協働する前部ラッチ（図示せず）と、中央座席後部ラッチ４４，４６（図２）と協働する後部ラッチ（図示せず）とを備える。中央座席後部ラッチ（図示せず）は、従来の方法で中央座席１２が中央座席前部ストライカ４８，５０により概して規定された軸の周りを回動するように、中央座席後部ストライカ４４，４６から取外し可能である。
【００２４】
上述したようにアウトボード車両座席とも言及される右側座席１４は、それぞれのアウトボード座席後部ストライカとそれぞれ協働する少なくとも２つのアウトボード座席後部ラッチと、それぞれのアウトボード座席前部ストライカとそれぞれ協働する少なくとも２つのアウトボード座席前部ラッチとを含む。右側座席ラッチを図４〜図７を参照して説明する。左側座席１６も、同様に作動するラッチ（図に示さない）を含む。右側座席ラッチの詳細を説明するが、左側座席ラッチも同様に作動することを理解されたい。
【００２５】
図５を参照して、例示の実施態様では、右側座席外側後部ラッチ１５０は右側座席外側後部ストライカ６０と協働し、右側座席内側後部ラッチ１５２は右側座席内側後部ストライカ６２と協働する。また、右側座席外側前部ラッチ１５４は右側座席外側前部ストライカ７０と協働し、右側座席内側前部ラッチ１５６は右側座席内側前部ストライカ７２と協働する。例示の実施態様では、後部ラッチ１５０，１５２は、後部ラッチとそれぞれの後部ストライカ６０，６２との係合を解除することを可能とする、詳細を後述する移動可能部品を含む。後部ラッチ１５０，１５２と後部ストライカ６０，６２との係合を解除するとき、前部ラッチ１５２，１５６は前部ストライカ７０，７２と係合したままである。これは、前部ラッチ７０，７２が、右側座席１４の部品を構成するライザ１６０、１６２にそれぞれ固定されているからである。
【００２６】
図６を参照して、右側座席１４（左側座席１６も同様に）は、右側座席前部ストライカ７０，７２（図５）により概して規定された軸Ｈの周りに回動可能である。公知の横方向に調節可能な座席と違って、右側座席１４は、ラッチのセットの１つだけによって横方向に調節可能であり、より詳しくは、後部ラッチ１５０，１５２がそれぞれのストライカとの係合を解除される。従って、右側座席後部ラッチ１５０，１５２がそれぞれの後部ストライカ６０，６２との係合を解除され、右側座席前部ラッチ１５４，１５６がそれぞれの前部ストライカ７０，７２と係合しているときは、右側座席１４は前部ストライカ７０，７２により概して規定された軸Ｈの周りに回動可能であり、このとき車両は、軸Ｈと概して平行であって長手方向に直交する横方向に移動可能となる。
【００２７】
右側座席後部ラッチ１５０は、第１作動位置、第２作動位置、および第３作動位置に作動可能である。第１作動位置（図４参照）では、右側座席外側後部ラッチ１５０は第１係止区分１０２で右側座席外側後部ストライカ６０と係合する。第２作動位置では、右側座席外側後部ラッチ１５０は、第２区分１０４（図５参照）で右側座席後部ストライカ６０と係合する。第３作動位置（図６）では、右側座席外側後部ラッチ１５０は、右側座席外側後部ストライカ６０との係合を解除する。右側座席外側後部ラッチが第１作動位置（図４に示す）にあるとき、係止区分仕切り部１００は右側座席外側後部ラッチ１５０に接触して、右側座席外側後部ラッチが第１係止区分１０２から第２係止区分１０４側へ横方向に移動するのを阻止することができる。同様に、右側座席外側後部ラッチが第２作動位置にあるとき、係止区分仕切り部１００は右側座席外側後部ラッチ１５０に接触して、右側座席外側後部ラッチが第２係止区分１０４から第１係止区分１０２側へ横方向に移動するのを阻止することができる。
【００２８】
図７を参照して、右側座席外側後部ラッチ１５０の作動をより詳細に説明する。上述したように、例示の実施態様では他のアウトボード座席である左側座席１６は、ほとんど同様に作動する外側後部ラッチを含む。右側座席外側後部ラッチ１５０は外側ライザ１６０に搭載され、右側座席外側後部ラッチに連動・連結されるレバーアーム部１７０により作動される。図７に示す右側座席１４は、ライザ１６０と、ライザ１６０に連結されたトラック１７２（各アウトボード座席に２つのトラックが設けられる）と、トラックに取り付けられたクッションフレーム部１７４とを含む。クッションフレーム部１７４およびトラック１７２は、車両フレームに対して右側座席１４の長手方向の調節を可能とするように協働する。レバーアーム部１７０は、例示の実施態様ではブラケット１７６および垂直に整列したピンまたは心棒１７８によりクッションフレーム部１７４に取り付けられる。ブラケット１７６はクッションフレーム部１７４に固定され、レバーアーム部１７０がピンにより規定される垂直軸の周りに回動することを可能とするようにピン１７８がブラケットに連結される。例示の実施態様では、２つのケーブル、すなわち第１の鞘１８２で被覆された第１ケーブル１８０および第２の鞘１８６で被覆された第２ケーブル１８４が、一端でレバーアーム部１７０に連結され、他端でそれぞれの後部ラッチ１５０、１５２（図５も参照）に連結される。引き続き図７を参照して、右側座席外側後部ラッチ１５０はブラケット１８８を使用してライザ１６０に連結される。右側座席外側前部ラッチ１５４は、座席が横方向に移動または回動するとき右側座席内側前部ラッチ１５４がライザ１７２と一緒に（右側座席１４の残部と一緒に）移動するように、留め具１９０，１９２によりライザ１６０に固定される。
【００２９】
図８を参照して、残りのアウトボード座席後部ラッチと同様に構成された右側座席外側後部ラッチ１５０は、カム体部２０２と協働するフック体部２００を含む。フック体部２００は円筒状留め具２０４を使用してライザ１６０に取り付けられ、カム体部２０２も円筒状留め具２０６を使用してライザ１６０に取り付けられる。円筒状留め具２０４，２０６は従来のボルトおよび／またはリベットでもよい。これらの留め具２０４，２０６は、フック体部２００およびカム体部２０６がそれぞれ各円筒状留め具の中心にある水平軸の周りに回転することを許容するように構成されている。
【００３０】
フック体部２００は、少なくとも２つの横方向に離間した係止区分、例えば第１係止区分１０２および第２係止区分１０４（図４参照）のそれぞれで右側座席外側後部ストライカ６０と係合するフック機能部２１０を含む。フック体部２００はまた付属部２１２を含む。付属部２１２には、第１バネ開口部２１４が形成される。フック体部２００はまた、カム体部２０２に対して作用するカム表面２１６を含む。
【００３１】
カム体部２０２はフック体部２００のカム表面２１６に対して乗りあがるカム表面２１８を含む。カム体部２０２はまた第２バネ開口部２２２およびケーブル開口部２２４を含む。引張バネ２３０が、一端でフック体部２００に形成された第１バネ開口部２１４およびカム体部２０２に形成された第２バネ開口部２２２に連結される。
【００３２】
図８は、右側座席外側後部ラッチ１５０、より具体的には右側座席外側後部ストライカ６０に係合するフック体部２００のフック機能部２１０を示す。右側座席外側後部ラッチ１５０、つまりフック機能部２１０を右側座席外側後部ストライカ６０との係合から解除するために、操作者はレバーアーム部１７０を、ピン１７８により規定された垂直軸の周りに回転するよう引っ張る。これにより、ケーブル１８０が右方向に移動し（図８に示す配置において）、その結果カム体部２０２が時計回りに回転する（図８に示す配置において）。カム体部２０２のカム表面２１８は、フック体部２００のカム表面２１６に乗り上げ、カム体部２０２のカム表面２１８がフック体部２００およびカム表面２１６に係合しなくなるまでフック体部２００を反時計回りに回転する。従って、引張バネ２３０はフック体部２０２を付属部２１２でカム体部２０２側へ引っ張り、その結果フック体部２００が円筒状留め具２０４の中心に規定された水平軸の周りを時計回りに回動することになる（図８に示す配置において）。この位置では、フック機能部２１８は右側座席外側後部ストライカ６０ともはや係合していない。従って、右側座席外側後部ストライカ６０から離間するように図６に示す位置へ右側座席１４を回動することが可能となる。
【００３３】
右側座席１４が右側座席外側後部ストライカ６０から離間するように回動されたことで、係止区分仕切り部１００は右側座席外側後部ストライカともはや係合していない。これにより、右側座席１４を、車両床部４２（および車両フレーム）に対して横方向に移動することが可能となる。右側座席１４は横方向内側に押すことができ、車両の第３列座席への進入およびそこからの退出のためのアクセス空間を増加できる。あるいは、右側座席１４は横方向外側に引っ張ることができ、中央座席１２と右側座席１４との間の幅を増加し、中央座席にチャイルドシートを取り付けやすくできる。
【００３４】
車両座席を横方向に調節する方法は、車両座席、例えば右側車両座席１４および左側車両座席１６の、後部ラッチ、例えば後部ラッチ１５０，１５２と、車両フレームに連結された後部ストライカ、例えば後部ストライカ６０，６２，６４，６６との係合を解除することを含むことができる。この方法は更に、車両座席の前部ラッチ、例えば前部ラッチ１５４，１５６が、車両フレームに連結された前部ストライカ、例えば前部ストライカ７０，７２に係合している間に、車両座席を後部ストライカから離間するように回動することを含むことができる。この方法は更に、後部ラッチが後部ストライカとの係合を解除し、後部ラッチが後部ストライカから離間するように回動し（すなわち、後部ラッチが後部ストライカにもはや接触していない）、かつ前部ラッチが前部ストライカと係合している間に、車両座席を横方向に移動することを含むことができる。この方法は更に、後部ラッチを後部ストライカに係合することを含むことができる。図６により明らかに示されるように、この方法は更に、後部ラッチ１５０が後部ストライカ６０上の突出部、例えば環状係止区分仕切り部１００を越えるように、車両座席１４を回動することを含むことができる。
【００３５】
図２を再び参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造４０を含む。上述したように、外右側ガーニッシュ８０は右側座席外側後部ストライカ６０および右側座席外側前部ストライカ７０が収納される窪み部１２０を画成し、この窪み部１２０は右側座席１４の横方向調節を可能とする横方向寸法を有する。内右側後部ガーニッシュ８２はまた、内側窪み部２４０および外側窪み部２４２を画成する。インボード座席右側後部ストライカ４４が内側窪み部２４０に収納され、右側座席内側後部ストライカ６２が外側窪み部２４２に収納される。また、内右側前部ガーニッシュ８４は内側窪み部２４４および外側窪み部２４６を画成する。インボード座席右側前部ストライカ４８が内側窪み部２４４に収納され、右側座席内側前部ストライカ７２が外側窪み部２４６に収納される。また、内左側後部ガーニッシュ８６は内側窪み部２４８および外側窪み部２５２を画成する。インボード座席右後部ストライカ４６が内側窪み部２４８に収納され、左側座席内側後部ストライカ６６が外側窪み部２５２に収納される。また、内右側前部ガーニッシュ８８は内側窪み部２５４および外側窪み部２５６を画成する。インボード座席左前部ストライカ５２が内側窪み部２５４に収納され、左側座席内側前部ストライカ７６が外側窪み部２５６に収納される。また、外左側ガーニッシュ９０は窪み部２５８を画成する。左側座席外側後部ストライカ６４および左側座席外側前部ストライカ７４が窪み部２５８に収納される。
【００３６】
アウトボード座席１４，１６用ストライカをそれぞれ収納する窪み部１２０，２４２，２４６，２５２，２５６，２５８は、アウトボード座席の横方向調節を可能とする横方向寸法を有する。従って、窪み部１２０，２４２，２４６，２５２，２５６，２５８の横方向寸法は、インボード座席１２用ストライカをそれぞれ収納する窪み部２４０，２４４，２４８，２５４よりも大きい。アウトボード座席ストライカ６０，６２，６４，６６，６０，７２，７４，７６を収納する窪み部１２０，２４２，２４６，２５２，２５６，２５８の横方向寸法は、インボード（センター）座席ストライカ４４，４６，４８，５２を収納する窪み部２４０，２４４，２４８，２５４の横方向寸法の少なくとも約２倍であってもよい。
【００３７】
図２を引き続き参照して、概してＵ型形状の中央座席ストライカ４４，４６，４８，５２の横方向寸法は、アウトボード座席ストライカ６０，６２，６４，６６，６０，７２，７４，７６よりも小さい。より具体的には、アウトボード座席後部ストライカの横方向寸法は、インボード座席後部ストライカの横方向寸法の少なくとも約２倍であってもよい。上述したように、アウトボード座席１４，１６は横方向に調節可能である。しかしながら、例示の実施態様では、インボード（センター）座席１２は横方向に調節可能ではない。従って、アウトボード座席１４，１６用のラッチは、少なくとも２つの係止位置、例えば図３に示す係止区分１０２，１０４で、それぞれアウトボード座席ストライカ，６０，６２，６４，６６，６０，７２，７４，７６に係合する。中央座席は横方向に固定されているので、中央座席ストライカ４４，４６，４８，５２の横方向寸法は小さくてもよい。
【００３８】
図４を再び参照して、右側座席１４は、外右側ガーニッシュ８０上の位置決め壁部１２２と協働する位置決め機能部２７０を含んでもよい。位置決め機能部２７０は、外側ライザ１６０の一部でもよい（図７参照）。右側座席後部ラッチ１５０が第１作動位置にあるときは、図４に示すように、位置決め機能部２７０は、右側座席１４が外側へ移動するのを阻止するように位置決め壁部１２２に係合可能である。右側座席後部ラッチ１５０が図５に示す第２作動位置にあるときは、位置決め機能部２７０は、右側座席１４が内側へ移動するのを阻止するように位置決め壁部１２２に係合可能である。左側座席も同様な位置決め機能部を含むことができる。
【００３９】
横方向に調節可能な車両座席を詳細に説明した。上記の詳細な説明を読んで理解した上で、変更・置換することがあろう。例えば、前記係止区分仕切り部は、外側後部ラッチではなく内側後部ラッチに配置されることが可能であり、前記アウトボード座席用後部ラッチはストライカが車両ピラーに連結されるハイラッチ構造のストライカに連結することが可能である。本発明は上記の実施態様に限定されるものではない。本発明は、添付の請求項およびその均等物により広く定義されるものである。
【００４０】
上記に開示または他の様々な特徴・機能またはその代替・変更は、他の多くの異なるシステムや用途と好適に組み合わせることができることを理解されたい。また、当業者によって引き続き行われるであろう現在予期または予測不能な様々な代替、置換、変更、改良も、下記の請求項の範囲に含まれることを意図するものであることも理解されたい。
【図１】
2013512135.tif 000003
【図２】
2013512135.tif 000004
【図３】
2013512135.tif 000005
【図４】
2013512135.tif 000006
【図５】
2013512135.tif 000007
【図６】
2013512135.tif 000008
【図７】
2013512135.tif 000009
【図８】
2013512135.tif 000010
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
アウトボード座席前部ストライカおよび少なくとも２つのアウトボード座席後部ストライカを含む複数のストライカであって、前記アウトボード座席後部ストライカのうちの少なくとも１つが、該少なくとも１つのアウトボード座席後部ストライカを少なくとも２つの横方向に離間した係止区分に分割する係止区分仕切り部を含む、複数のストライカと；  インボード車両座席と；
各々のアウトボード座席後部ストライカとそれぞれ協働する少なくとも２つのアウトボード座席後部ラッチと、前記アウトボード座席前部ストライカと協働するアウトボード座席前部ラッチとを含むアウトボード車両座席であって、該アウトボード車両座席が前記インボード車両座席に対して同列であると共に横方向にオフセットしており、前記アウトボード車両座席が横方向に調節可能であって、前記アウトボード座席後部ラッチの少なくとも１つが、前記少なくとも２つの横方向に離間した係止区分の各々で前記少なくとも１つのアウトボード座席後部ストライカと係合するように構成されている、アウトボード車両座席と
を備える、車両座席構造。
【請求項２】
前記アウトボード座席後部ラッチが各々のアウトボード座席後部ストライカとの係合を解除し、前記アウトボード座席前部ラッチが各々のアウトボード座席前部ストライカと係合しているときは、前記車両座席は前記アウトボード座席前部ストライカにより概して規定される軸の周りに回動可能であり、前記車両座席は横方向に移動可能であることを特徴とする請求項１に記載の車両座席構造。
【請求項３】
前記少なくとも１つのアウトボード座席後部ラッチが第１作動位置、第２作動位置、および第３作動位置に作動可能であり、前記第１作動位置では前記少なくとも１つのアウトボード座席後部ラッチが前記少なくとも１つのアウトボード座席後部ストライカに前記少なくとも２つの係止区分のうち第１係止区分で係合し、前記第２作動位置では前記少なくとも１つのアウトボード座席後部ラッチが前記少なくとも１つのアウトボード座席後部ストライカに前記少なくとも２つの係止区分のうち第２係止区分で係合し、前記第３作動位置では前記少なくとも１つのアウトボード座席後部ラッチが前記少なくとも１つのアウトボード座席後部ストライカとの係合を解除することを特徴とする請求項１に記載の車両座席構造。
【請求項４】
前記少なくとも１つのアウトボード座席後部ラッチが第１作動位置にあるときは、前記係止区分仕切り部が前記少なくとも１つのアウトボード座席後部ラッチに接触して前記第１係止区分から前記第２係止区分側へ前記少なくとも１つのアウトボード座席後部ラッチが横方向移動することを阻止することを特徴とする請求項３に記載の車両座席構造。
【請求項５】
前記アウトボード座席ストライカに隣接するガーニッシュを更に備え、該ガーニッシュが、前記係止区分仕切り部と長手方向に整列しアウトボード車両座席と協働して横方向に車両座席を位置決めする位置決め壁部を含むことを特徴とする請求項１に記載の車両座席構造。
【請求項６】
前記位置決め壁部が前記アウトボード座席後部ストライカと前記アウトボード座席前部ストライカとの間に配設されることを特徴とする請求項５に記載の車両座席構造。
【請求項７】
前記アウトボード車両座席が、前記位置決め壁部と選択的に協働する位置決め機能部を含むことを特徴とする請求項５に記載の車両座席構造。
【請求項８】
前記係止区分仕切り部が環状隆起部であることを特徴とする請求項１に記載の車両座席構造。
【請求項９】
前記少なくとも１つのアウトボード座席後部ストライカが円形断面を有する概してＵ型形状であり、前記係止区分仕切り部が前記円形断面の円周を囲繞することを特徴とする請求項８に記載の車両座席構造。
【請求項１０】
前記アウトボード車両座席が左側中列座席と右側中列座席とを含むことを特徴とする請求項１に記載の車両座席構造。
【請求項１１】
前記インボード車両座席が前記左側中列座席と前記右側中列座席との間に横方向に配設されることを特徴とする請求項１０に記載の車両座席構造。
【請求項１２】
前記インボード車両座席を前記車両フレームに取り付けるためのインボード座席後部ストライカを更に備え、該インボード座席後部ストライカの横方向寸法が前記アウトボード座席後部ストライカよりも小さいことを特徴とする請求項１に記載の車両座席構造。
【請求項１３】
前記アウトボード座席後部ストライカの横方向寸法が前記インボード座席後部ストライカの横方向寸法の少なくとも約２倍であることを特徴とする請求項１２に記載の車両座席構造。
【請求項１４】
前記位置決め壁部の横方向に測定された幅が、前記係止区分仕切り部の横方向に測定された幅と略等しいことを特徴とする請求項６に記載の車両座席構造。
【請求項１５】
前記アウトボード車両座席が外側ライザを含み、前記アウトボード座席後部ラッチの少なくとも１つが該外側ライザに搭載され、前記位置決め機能部が該外側ライザの一部であることを特徴とする請求項７に記載の車両座席構造。
【手続補正２】
【補正対象書類名】明細書
【補正対象項目名】全文
【補正方法】変更
【補正の内容】
【書類名】明細書
【発明の名称】横方向スライド式車両座席
【背景】
【０００１】
本開示は概して、ワゴン車、ミニバン、ＳＵＶ車などの大きめの車両に見られる車両座席に関する。これらの大きめの車両は、運転者が位置する第１列座席、第１列の後ろの第２列座席、第２列の後ろの第３列座席、の３列の車両座席を含むことができる。第３列座席への進入およびそこからの退出は困難であり得る。中列座席とも呼ぶ第２列は、２つのアウトボード座席を含み、これらのアウトボード座席は、乗員が第３列座席へアクセスするのを可能とするように回動するか前方へ転倒する。しかしながら、各アウトボード座席の最外縁部は、車両の側枠ピラーの近辺に配置されている。従って、第３列座席への進入およびそこからの退出のための空間は依然限られている。
【０００２】
第２列座席のアウトボード座席の幅を減少することによって進入・退出のための空間をより多く確保することが可能である。しかしながら、これにより、チャイルドシートと一般に呼ばれる子供用拘束装置に問題が生じる可能性がある。これらの公知のチャイルドシートは通常車両座席上に載置され、そこに係止される。これらの第２列の座席にチャイルドシートを支持するための最低限の幅が望まれるため、アウトボード座席の幅を減少することは実用的ではないかもしれない。
【課題を解決するための手段】
【０００３】
本発明によれば、アウトボード座席前部ストライカおよび少なくとも２つのアウトボード座席後部ストライカを含む複数のストライカであって、前記アウトボード座席後部ストライカのうちの少なくとも１つが、該少なくとも１つのアウトボード座席後部ストライカを少なくとも２つの横方向に離間した係止区分に分割する係止区分仕切り部を含む、複数のストライカと；
インボード車両座席と；
各々のアウトボード座席後部ストライカとそれぞれ協働する少なくとも２つのアウトボード座席後部ラッチと、前記アウトボード座席前部ストライカと協働するアウトボード座席前部ラッチとを含むアウトボード車両座席であって、該アウトボード車両座席が前記インボード車両座席に対して同列であると共に横方向にオフセットしており、前記アウトボード車両座席が横方向に調節可能であって、前記アウトボード座席後部ラッチの少なくとも１つが、前記少なくとも２つの横方向に離間した係止区分の各々で前記少なくとも１つのアウトボード座席後部ストライカと係合するように構成されている、アウトボード車両座席とを備える、車両座席構造が提案される。
【簡単な説明】
【０００４】
即ち、前記欠点を克服可能である調節可能な車両座席構造は、複数のストライカ、インボード車両座席、およびアウトボード車両座席を含む。これら複数のストライカは、アウトボード座席前部ストライカと少なくとも２つのアウトボード座席後部ストライカとを含む。アウトボード座席後部ストライカのうち少なくとも１つは、この少なくとも１つのアウトボード座席後部ストライカを少なくとも２つの横方向に離間した係止区分に分割する係止区分仕切り部を含む。アウトボード車両座席は、それぞれのアウトボード座席後部ストライカと協働する少なくとも２つのアウトボード座席後部ラッチと、アウトボード座席前部ストライカと協働するアウトボード座席前部ラッチとを含む。アウトボード座席は、インボード車両座席に対して同列であると共に横方向にオフセットしている。アウトボード車両座席は横方向に調節可能であって、アウトボード座席後部ラッチのうち少なくとも１つが、前記少なくとも２つの横方向に離間した係止区分の各々で前記少なくとも１つのアウトボード座席後部ストライカと係合するように構成されている。
【０００５】
車両座席を横方向に調節する方法は、車両座席の後部ラッチと後部ストライカとの係合を解除すること、後部ストライカから離間するように車両座席を回動すること、後部ラッチと後部ストライカとの係合が解除されている間に車両座席を横方向に移動すること、および後部ラッチを後部ストライカに係合することを含む。この方法は、車両座席の後部ラッチと、車両フレームに連結した後部ストライカとの係合を解除することを含むことができる。この方法は更に、車両座席の前部ラッチが車両フレームに連結した前部ストライカに係合している間に、後部ストライカから離間するように車両座席を回動することを含むことができる。この方法は更に、後部ラッチと後部ストライカとの係合を解除しそして後部ラッチが離間するように回動され、前部ラッチが前部ストライカに係合している間に、車両座席を横方向に移動することを含むことができる。
【０００６】
車両座席アセンブリは、車両座席と、後部ストライカと、前部ストライカとを含む。車両座席は、第１横方向位置と、第１横方向位置から横方向にオフセットした第２横方向位置とに作動可能である。車両座席は、座席を車両フレームに固定するための後部ラッチと前部ラッチとを含む。後部ストライカは、車両座席を車両フレームに固定するための後部ラッチと協働する。後部ストライカは、概して円筒形状の水平区分と、水平区分を第１係止区分と第２係止区分とに分割する略環状係止区分仕切り部とを含む。後部ラッチは車両座席が第１横方向位置にあるときに第１係止区分に係合し、後部ラッチは車両座席が第２横方向位置にあるときに第２係止区分に係合する。前部ストライカは、車両座席を車両フレームに固定するために前部ラッチと協働する。
【図面の簡単な説明】
【０００７】
図１は車両用の中列座席構造の斜視図である。
【０００８】
図２は車両用の中列ストライカ構造の斜視図である。
【０００９】
図３は図２に示す中列ストライカ構造の右外側ストライカ構造の拡大斜視図である。
【００１０】
図４は図１に示す中列座席構造の右側座席の下部分と図３に示す右外側ストライカ構造の一部分の斜視図である。
【００１１】
図５は図１に示す右側座席の部品と図２に示すストライカ構造の部分の斜視図である。      【００１２】
図６は図１に示す右側座席と図３に示す右外側ストライカ構造の側面図である。
【００１３】
図７は図１に示す右側座席の内部部品と図３に示す右外側ストライカ構造の斜視図である。
【００１４】
図８は後部ストライカに係合する、図１に示す右側座席のための後部ラッチの側面図である。
【詳細な説明】
【００１５】
図１を参照して、車両用の中列座席構造１０は、インボード（センター）車両座席１２と、例示の実施態様では右側座席１４および左側座席１６を含むアウトボード車両座席とを含むよう示されている。例えば、中列座席構造は、ワゴン車、ミニバン、またはＳＵＶにおける第２列座席であることができる。各アウトボード座席１４，１６は、インボード座席１２と概して横方向に整列、つまり同列にあり、またインボード座席１２から横方向にオフセットしている。例示の実施態様では、中央座席とも言及することができるインボード座席１２は、座席ベース部２０と座席背後部２２とを含む。右側座席１４も座席ベース部２４と座席背後部２６とを含む。左側座席１６も座席ベース部２８と座席背後部３２とを含む。各座席背後部２２，２６，３２は、それぞれのベース部２０，２４，２８に対して従来の方法で回動可能である。
【００１６】
図２を参照して、中列ストライカ構造４０が示される。中列ストライカ構造４０は、車両フレーム（図示せず）に連結されて車両床部４２上に配置される複数のＵ型形状のストライカを含む。例示の実施態様の各ストライカは、円形断面を有する金属棒材から形成される。所望により、詳細を後述する後部ストライカの少なくともいくつかは、他の場所で車両フレームに取り付けることができる。中列ストライカ構造４０は、例示の実施態様ではインボード座席右側後部ストライカ４４とインボード座席左側後部ストライカ４６とを含むインボード座席後部ストライカを含む。また、図示の中列ストライカ構造４０は、例示の実施態様ではインボード座席右側前部ストライカ４８とインボード座席左側前部ストライカ５２とを含むインボード座席前部ストライカを含む。
【００１７】
また、中列ストライカ構造４０を構成する複数のストライカは、例示の実施態様では右側座席外側後部ストライカ６０と、右側座席内側後部ストライカ６２と、左側座席外側後部ストライカ６４と、左側座席内側後部ストライカ６６とを含むアウトボード座席後部ストライカを含む。また、例示の実施態様で中列ストライカ構造４０を構成する複数のストライカは、例示の実施態様では右側座席外側前部ストライカ７０と、右側座席内側前部ストライカ７２と、左側座席外側前部ストライカ７４と、左側座席内側前部ストライカ７６とを含むアウトボード座席前部ストライカを含む。
【００１８】
図２を引き続き参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造を含む。例示の実施態様のガーニッシュ８０，８２，８４，８６，８８，９０はプラスチック製であり、従来の方法で車両床部４２に取り付けられる。右側座席外側後部ストライカ６０および右側座席外側前部ストライカ７０はそれぞれ外右側ガーニッシュ８０にある開口部を貫通する。インボード座席右側後部ストライカ４４および右側座席内側後部ストライカ６２はそれぞれ内右側後部ガーニッシュ８２にある開口部を貫通する。インボード座席右側前部ストライカ４８および右側座席内側前部ストライカ７２は内右側前部ガーニッシュ８４にある開口部を貫通する。インボード座席右後部ストライカ４６および左側座席内側後部ストライカ６６はそれぞれ内左側後部ガーニッシュ８６にある開口部を貫通する。インボード座席左前部ストライカ５２および左側座席内側前部ストライカ７６はそれぞれ内左側前部ガーニッシュ８８にある開口部を貫通する。左側座席外側後部ストライカ６４および左側座席外側前部ストライカ７４はそれぞれ外左側ガーニッシュ９０にある開口部を貫通する。外右側ガーニッシュ８０は外左側ガーニッシュ９０の鏡像であってもよい。内右側後部ガーニッシュ８２は内左側後部ガーニッシュ８６の鏡像であってもよい。内右側前部ガーニッシュ８４は内左側前部ガーニッシュ８８の鏡像であってもよい。
【００１９】
複数の概してＵ型形状のストライカ４４，４６，４８，５２，６０，６２，６４，６６，７０，７２，７４，７６は、少なくとも２つのアウトボード座席後部ストライカ、例えばストライカ６０，６２，６４，６６、および少なくとも２つのアウトボード座席前部ストライカ、例えばストライカ７０，７２，７４，７６を含む。例示の実施態様では、アウトボード座席後部ストライカの少なくとも１つ、例えばストライカ６０，６４が、それぞれ少なくとも１つのアウトボード座席後部ストライカを、詳細を後述する少なくとも２つの横方向に離間した係止区分に分割する係止区分仕切り部１００，９８を含む。
【００２０】
次に、車両床部４２（従って、車両床部に連結される車両フレーム）に連結する右側座席１４の部品を示す図３〜図５を参照する。左側座席１６も同様に連結されるので、左側座席が同様の構成となることを理解した上で、図３〜図５に示す部品を詳細に説明する。      【００２１】
図３により明らかに示されるように、前記アウトボード座席後部ストライカの１つである右側座席外側後部ストライカ６０は、右側座席外側後部ストライカを、例示の実施態様では第１（内側）係止区分１０２と第２（外側）係止区分１０４である、少なくとも２つの横方向に離間した係止区分に分割する係止区分仕切り部１００を含む。上述したように、各ストライカは概してＵ型形状であり、図３に示すように右側座席外側後部ストライカ６０は、係止区分１０２，１０４を含む概して円筒形状の水平区分１０６を含む。右側座席外側後部ストライカ６０はまた、車両フレームに固定、例えば溶接することができる概して垂直方向に配向した区分１０８，１１０を含む。
【００２２】
例示の実施態様では、係止区分仕切り部１００は環状隆起部である。環状隆起部１００は、概して円筒形状の水平区分１０６を囲繞し、外側垂直区分１０８と内側垂直区分１１０の間の横方向中心部に配設される。他の実施態様では、係止区分仕切り部９８，１００はそれぞれの水平区分上のいかなる場所にも配置可能であり、また、係止区分仕切り部は、水平区分を完全に囲繞する環状隆起部でなくてもよく、概して水平区分から延出する突出部などの他の構造とすることが可能である。
【００２３】
図３を再び参照して、外右側ガーニッシュ８０は、右側座席外側後部ストライカ６０と右側座席外側前部ストライカ７０とを収納する窪み部１２０を画成する。窪み部１２０は、右側座席１４の横方向調節を許容する横方向寸法を有する。この横方向調節の詳細は後述する。また、外右側ガーニッシュ８０は、中列座席構造１０（図１）を搭載した車両の進行方向と概して平行である長手方向で係止区分仕切り部１００と整列する位置決め壁部１２２を含む。例示の実施態様では、位置決め壁部１２２は、窪み部１２０内部で後部ストライカ６０と前部ストライカ７０との間に配設される。例示の実施態様ではまた、横方向に測定される位置決め壁部１２２の幅は、横（軸）方向に測定される係止区分仕切り部１００の幅と略等しい。位置決め壁部１２２は右側座席１４と協働して、詳細を後述する方法で横方向に右側座席を位置決めする。
【００２４】
再び図１を参照して、中央車両座席１２は、インボード（センター）車両座席１２を車両フレーム（図示せず）に搭載可能とする従来の方法でストライカ４４，４６，４８，５２（図２）に取り付けられる。中央座席１２は、中央座席前部ストライカ４８，５２（図２）と協働する前部ラッチ（図示せず）と、中央座席後部ラッチ４４，４６（図２）と協働する後部ラッチ（図示せず）とを備える。中央座席後部ラッチ（図示せず）は、従来の方法で中央座席１２が中央座席前部ストライカ４８，５０により概して規定された軸の周りを回動するように、中央座席後部ストライカ４４，４６から取外し可能である。
【００２５】
上述したようにアウトボード車両座席とも言及される右側座席１４は、それぞれのアウトボード座席後部ストライカとそれぞれ協働する少なくとも２つのアウトボード座席後部ラッチと、それぞれのアウトボード座席前部ストライカとそれぞれ協働する少なくとも２つのアウトボード座席前部ラッチとを含む。右側座席ラッチを図４〜図７を参照して説明する。左側座席１６も、同様に作動するラッチ（図に示さない）を含む。右側座席ラッチの詳細を説明するが、左側座席ラッチも同様に作動することを理解されたい。
【００２６】
図５を参照して、例示の実施態様では、右側座席外側後部ラッチ１５０は右側座席外側後部ストライカ６０と協働し、右側座席内側後部ラッチ１５２は右側座席内側後部ストライカ６２と協働する。また、右側座席外側前部ラッチ１５４は右側座席外側前部ストライカ７０と協働し、右側座席内側前部ラッチ１５６は右側座席内側前部ストライカ７２と協働する。例示の実施態様では、後部ラッチ１５０，１５２は、後部ラッチとそれぞれの後部ストライカ６０，６２との係合を解除することを可能とする、詳細を後述する移動可能部品を含む。後部ラッチ１５０，１５２と後部ストライカ６０，６２との係合を解除するとき、前部ラッチ１５４，１５６は前部ストライカ７０，７２と係合したままである。これは、前部ラッチ１５４，１５６が、右側座席１４の部品を構成するライザ１６０、１６２にそれぞれ固定されているからである。
【００２７】
図６を参照して、右側座席１４（左側座席１６も同様に）は、右側座席前部ストライカ７０，７２（図５）により概して規定された軸Ｈの周りに回動可能である。公知の横方向に調節可能な座席と違って、右側座席１４は、ラッチのセットの１つだけによって横方向に調節可能であり、より詳しくは、後部ラッチ１５０，１５２がそれぞれのストライカとの係合を解除される。従って、右側座席後部ラッチ１５０，１５２がそれぞれの後部ストライカ６０，６２との係合を解除され、右側座席前部ラッチ１５４，１５６がそれぞれの前部ストライカ７０，７２と係合しているときは、右側座席１４は前部ストライカ７０，７２により概して規定された軸Ｈの周りに回動可能であり、このとき座席は、軸Ｈと概して平行であって長手方向に直交する横方向に移動可能となる。
【００２８】
右側座席後部ラッチ１５０は、第１作動位置、第２作動位置、および第３作動位置に作動可能である。第１作動位置（図４参照）では、右側座席外側後部ラッチ１５０は第１係止区分１０２で右側座席外側後部ストライカ６０と係合する。第２作動位置では、右側座席外側後部ラッチ１５０は、第２区分１０４（図５参照）で右側座席後部ストライカ６０と係合する。第３作動位置（図６）では、右側座席外側後部ラッチ１５０は、右側座席外側後部ストライカ６０との係合を解除する。右側座席外側後部ラッチが第１作動位置（図４に示す）にあるとき、係止区分仕切り部１００は右側座席外側後部ラッチ１５０に接触して、右側座席外側後部ラッチが第１係止区分１０２から第２係止区分１０４側へ横方向に移動するのを阻止することができる。同様に、右側座席外側後部ラッチが第２作動位置にあるとき、係止区分仕切り部１００は右側座席外側後部ラッチ１５０に接触して、右側座席外側後部ラッチが第２係止区分１０４から第１係止区分１０２側へ横方向に移動するのを阻止することができる。
【００２９】
図７を参照して、右側座席外側後部ラッチ１５０の作動をより詳細に説明する。上述したように、例示の実施態様では他のアウトボード座席である左側座席１６は、ほとんど同様に作動する外側後部ラッチを含む。右側座席外側後部ラッチ１５０は外側ライザ１６０に搭載され、右側座席外側後部ラッチに連動・連結されるレバーアーム部１７０により作動される。図７に示す右側座席１４は、ライザ１６０と、ライザ１６０に連結されたトラック１７２（各アウトボード座席に２つのトラックが設けられる）と、トラックに取り付けられたクッションフレーム部１７４とを含む。クッションフレーム部１７４およびトラック１７２は、車両フレームに対して右側座席１４の長手方向の調節を可能とするように協働する。レバーアーム部１７０は、例示の実施態様ではブラケット１７６および垂直に整列したピンまたは心棒１７８によりクッションフレーム部１７４に取り付けられる。ブラケット１７６はクッションフレーム部１７４に固定され、レバーアーム部１７０がピンにより規定される垂直軸の周りに回動することを可能とするようにピン１７８がブラケットに連結される。例示の実施態様では、２つのケーブル、すなわち第１の鞘１８２で被覆された第１ケーブル１８０および第２の鞘１８６で被覆された第２ケーブル１８４が、一端でレバーアーム部１７０に連結され、他端でそれぞれの後部ラッチ１５０、１５２（図５も参照）に連結される。引き続き図７を参照して、右側座席外側後部ラッチ１５０はブラケット１８８を使用してライザ１６０に連結される。右側座席外側前部ラッチ１５４は、座席が横方向に移動または回動するとき右側座席外側前部ラッチ１５４がライザ１７２と一緒に（右側座席１４の残部と一緒に）移動するように、留め具１９０，１９２によりライザ１６０に固定される。
【００３０】
図８を参照して、残りのアウトボード座席後部ラッチと同様に構成された右側座席外側後部ラッチ１５０は、カム体部２０２と協働するフック体部２００を含む。フック体部２００は円筒状留め具２０４を使用してライザ１６０に取り付けられ、カム体部２０２も円筒状留め具２０６を使用してライザ１６０に取り付けられる。円筒状留め具２０４，２０６は従来のボルトおよび／またはリベットでもよい。これらの留め具２０４，２０６は、フック体部２００およびカム体部２０６がそれぞれ各円筒状留め具の中心にある水平軸の周りに回転することを許容するように構成されている。
【００３１】
フック体部２００は、少なくとも２つの横方向に離間した係止区分、例えば第１係止区分１０２および第２係止区分１０４（図４参照）のそれぞれで右側座席外側後部ストライカ６０と係合するフック機能部２１０を含む。フック体部２００はまた付属部２１２を含む。付属部２１２には、第１バネ開口部２１４が形成される。フック体部２００はまた、カム体部２０２に対して作用するカム表面２１６を含む。
【００３２】
カム体部２０２はフック体部２００のカム表面２１６に対して乗りあがるカム表面２１８を含む。カム体部２０２はまた第２バネ開口部２２２およびケーブル開口部２２４を含む。引張バネ２３０が、一端でフック体部２００に形成された第１バネ開口部２１４に、他端でカム体部２０２に形成された第２バネ開口部２２２に連結される。
【００３３】
図８は、右側座席外側後部ラッチ１５０、より具体的には右側座席外側後部ストライカ６０に係合するフック体部２００のフック機能部２１０を示す。右側座席外側後部ラッチ１５０、つまりフック機能部２１０を右側座席外側後部ストライカ６０との係合から解除するために、操作者はレバーアーム部１７０を、ピン１７８により規定された垂直軸の周りに回転するよう引っ張る。これにより、ケーブル１８０が右方向に移動し（図８に示す配置において）、その結果カム体部２０２が時計回りに回転する（図８に示す配置において）。カム体部２０２のカム表面２１８は、フック体部２００のカム表面２１６に乗り上げ、カム体部２０２のカム表面２１８がフック体部２００のカム表面２１６に係合しなくなるまでフック体部２００を反時計回りに回転する。従って、引張バネ２３０はフック体部２００を付属部２１２でカム体部２０２側へ引っ張り、その結果フック体部２００が円筒状留め具２０４の中心に規定された水平軸の周りを時計回りに回動することになる（図８に示す配置において）。この位置では、フック機能部２１８は右側座席外側後部ストライカ６０ともはや係合していない。従って、右側座席外側後部ストライカ６０から離間するように図６に示す位置へ右側座席１４を回動することが可能となる。
【００３４】
右側座席１４が右側座席外側後部ストライカ６０から離間するように回動されたことで、係止区分仕切り部１００は右側座席外側後部ラッチ１５０ともはや係合していない。これにより、右側座席１４を、車両床部４２（および車両フレーム）に対して横方向に移動することが可能となる。右側座席１４は横方向内側に押すことができ、車両の第３列座席への進入およびそこからの退出のためのアクセス空間を増加できる。あるいは、右側座席１４は横方向外側に引っ張ることができ、中央座席１２と右側座席１４との間の幅を増加し、中央座席にチャイルドシートを取り付けやすくできる。
【００３５】
車両座席を横方向に調節する方法は、車両座席、例えば右側車両座席１４および左側車両座席１６の、後部ラッチ、例えば後部ラッチ１５０，１５２と、車両フレームに連結された後部ストライカ、例えば後部ストライカ６０，６２，６４，６６との係合を解除することを含むことができる。この方法は更に、車両座席の前部ラッチ、例えば前部ラッチ１５４，１５６が、車両フレームに連結された前部ストライカ、例えば前部ストライカ７０，７２に係合している間に、車両座席を後部ストライカから離間するように回動することを含むことができる。この方法は更に、後部ラッチが後部ストライカとの係合を解除し、後部ラッチが後部ストライカから離間するように回動し（すなわち、後部ラッチが後部ストライカにもはや接触していない）、かつ前部ラッチが前部ストライカと係合している間に、車両座席を横方向に移動することを含むことができる。この方法は更に、後部ラッチを後部ストライカに係合することを含むことができる。図６により明らかに示されるように、この方法は更に、後部ラッチ１５０が後部ストライカ６０上の突出部、例えば環状係止区分仕切り部１００を越えるように、車両座席１４を回動することを含むことができる。
【００３６】
図２を再び参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造４０を含む。上述したように、外右側ガーニッシュ８０は右側座席外側後部ストライカ６０および右側座席外側前部ストライカ７０が収納される窪み部１２０を画成し、この窪み部１２０は右側座席１４の横方向調節を可能とする横方向寸法を有する。内右側後部ガーニッシュ８２はまた、内側窪み部２４０および外側窪み部２４２を画成する。インボード座席右側後部ストライカ４４が内側窪み部２４０に収納され、右側座席内側後部ストライカ６２が外側窪み部２４２に収納される。また、内右側前部ガーニッシュ８４は内側窪み部２４４および外側窪み部２４６を画成する。インボード座席右側前部ストライカ４８が内側窪み部２４４に収納され、右側座席内側前部ストライカ７２が外側窪み部２４６に収納される。また、内左側後部ガーニッシュ８６は内側窪み部２４８および外側窪み部２５２を画成する。インボード座席右後部ストライカ４６が内側窪み部２４８に収納され、左側座席内側後部ストライカ６６が外側窪み部２５２に収納される。また、内左側前部ガーニッシュ８８は内側窪み部２５４および外側窪み部２５６を画成する。インボード座席左前部ストライカ５２が内側窪み部２５４に収納され、左側座席内側前部ストライカ７６が外側窪み部２５６に収納される。また、外左側ガーニッシュ９０は窪み部２５８を画成する。左側座席外側後部ストライカ６４および左側座席外側前部ストライカ７４が窪み部２５８に収納される。
【００３７】
アウトボード座席１４，１６用ストライカをそれぞれ収納する窪み部１２０，２４２，２４６，２５２，２５６，２５８は、アウトボード座席の横方向調節を可能とする横方向寸法を有する。従って、窪み部１２０，２４２，２４６，２５２，２５６，２５８の横方向寸法は、インボード座席１２用ストライカをそれぞれ収納する窪み部２４０，２４４，２４８，２５４よりも大きい。アウトボード座席ストライカ６０，６２，６４，６６，７０，７２，７４，７６を収納する窪み部１２０，２４２，２４６，２５２，２５６，２５８の横方向寸法は、インボード（センター）座席ストライカ４４，４６，４８，５２を収納する窪み部２４０，２４４，２４８，２５４の横方向寸法の少なくとも約２倍であってもよい。
【００３８】
図２を引き続き参照して、概してＵ型形状の中央座席ストライカ４４，４６，４８，５２の横方向寸法は、アウトボード座席ストライカ６０，６２，６４，６６，７０，７２，７４，７６よりも小さい。より具体的には、アウトボード座席後部ストライカの横方向寸法は、インボード座席後部ストライカの横方向寸法の少なくとも約２倍であってもよい。上述したように、アウトボード座席１４，１６は横方向に調節可能である。しかしながら、例示の実施態様では、インボード（センター）座席１２は横方向に調節可能ではない。従って、アウトボード座席１４，１６用のラッチは、少なくとも２つの係止位置、例えば図３に示す係止区分１０２，１０４で、それぞれアウトボード座席ストライカ，６０，６２，６４，６６，７０，７２，７４，７６に係合する。中央座席は横方向に固定されているので、中央座席ストライカ４４，４６，４８，５２の横方向寸法は小さくてもよい。
【００３９】
図４を再び参照して、右側座席１４は、外右側ガーニッシュ８０上の位置決め壁部１２２と協働する位置決め機能部２７０を含んでもよい。位置決め機能部２７０は、外側ライザ１６０の一部でもよい（図７参照）。右側座席後部ラッチ１５０が第１作動位置にあるときは、図４に示すように、位置決め機能部２７０は、右側座席１４が外側へ移動するのを阻止するように位置決め壁部１２２に係合可能である。右側座席後部ラッチ１５０が図５に示す第２作動位置にあるときは、位置決め機能部２７０は、右側座席１４が内側へ移動するのを阻止するように位置決め壁部１２２に係合可能である。左側座席も同様な位置決め機能部を含むことができる。
【００４０】
横方向に調節可能な車両座席を詳細に説明した。上記の詳細な説明を読んで理解した上で、変更・置換することがあろう。例えば、前記係止区分仕切り部は、外側後部ラッチではなく内側後部ラッチに配置されることが可能であり、前記アウトボード座席用後部ラッチはストライカが車両ピラーに連結されるハイラッチ構造のストライカに連結することが可能である。本発明は上記の実施態様に限定されるものではない。本発明は、添付の請求項およびその均等物により広く定義されるものである。
【００４１】
上記に開示または他の様々な特徴・機能またはその代替・変更は、他の多くの異なるシステムや用途と好適に組み合わせることができることを理解されたい。また、当業者によって引き続き行われるであろう現在予期または予測不能な様々な代替、置換、変更、改良も、下記の請求項の範囲に含まれることを意図するものであることも理解されたい。
【手続補正３】
【補正対象書類名】図面
【補正対象項目名】図８
【補正方法】変更
【補正の内容】
【図８】
2013512135.tif 000011
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
アウトボード座席前部ストライカおよび少なくとも２つのアウトボード座席後部ストライカを含む、車両フレームに連結された複数のストライカであって、前記アウトボード座席後部ストライカのうちの少なくとも１つが、該少なくとも１つのアウトボード座席後部ストライカを少なくとも２つの横方向に離間した係止区分に分割する係止区分仕切り部を含む、複数のストライカと；
横方向に互いに間隔をおいて並列配置される左側座席及び右側座席で構成される左右のアウトボード車両座席と；
前記左側座席及び右側座席間に設けられるインボード車両座席と；を備え、
前記アウトボード車両座席が、前記インボード車両座席に対し同列で且つ横方向にオフセットした配置とされる車両座席構造であって、
前記アウトボード車両座席は、各々のアウトボード座席後部ストライカとそれぞれ協働する少なくとも２つのアウトボード座席後部ラッチと、前記アウトボード座席前部ストライカと協働するアウトボード座席前部ラッチとを含むと共に、横方向に調節可能であって、前記アウトボード座席後部ラッチの少なくとも１つが、前記少なくとも２つの横方向に離間した係止区分の各々で前記少なくとも１つのアウトボード座席後部ストライカと係合するように構成されていることを特徴とする車両座席構造。
【請求項２】
前記アウトボード座席後部ラッチが各々のアウトボード座席後部ストライカとの係合を解除し、前記アウトボード座席前部ラッチが各々のアウトボード座席前部ストライカと係合しているときは、前記アウトボード車両座席は、前記アウトボード座席前部ストライカにより概して規定される軸の周りに回動可能であり、且つ横方向に移動可能であることを特徴とする請求項１に記載の車両座席構造。
【請求項３】
前記少なくとも１つのアウトボード座席後部ラッチが第１作動位置、第２作動位置、および第３作動位置に作動可能であり、前記第１作動位置では前記少なくとも１つのアウトボード座席後部ラッチが前記少なくとも１つのアウトボード座席後部ストライカに前記少なくとも２つの係止区分のうち第１係止区分で係合し、前記第２作動位置では前記少なくとも１つのアウトボード座席後部ラッチが前記少なくとも１つのアウトボード座席後部ストライカに前記少なくとも２つの係止区分のうち第２係止区分で係合し、前記第３作動位置では前記少なくとも１つのアウトボード座席後部ラッチが前記少なくとも１つのアウトボード座席後部ストライカとの係合を解除することを特徴とする請求項１に記載の車両座席構造。
【請求項４】
前記少なくとも１つのアウトボード座席後部ラッチが第１作動位置にあるときは、前記係止区分仕切り部が前記少なくとも１つのアウトボード座席後部ラッチに接触して前記第１係止区分から前記第２係止区分側へ前記少なくとも１つのアウトボード座席後部ラッチが横方向移動することを阻止することを特徴とする請求項３に記載の車両座席構造。
【請求項５】
前記アウトボード座席後部ストライカに隣接するガーニッシュを更に備え、該ガーニッシュが、前記係止区分仕切り部と長手方向に整列しアウトボード車両座席と協働して横方向にアウトボード車両座席を位置決めする位置決め壁部を含むことを特徴とする請求項１に記載の車両座席構造。
【請求項６】
前記位置決め壁部が前記アウトボード座席後部ストライカと前記アウトボード座席前部ストライカとの間に配設されることを特徴とする請求項５に記載の車両座席構造。
【請求項７】
前記アウトボード車両座席が、前記位置決め壁部と選択的に協働する位置決め機能部を含むことを特徴とする請求項５に記載の車両座席構造。
【請求項８】
前記係止区分仕切り部が環状隆起部であることを特徴とする請求項１に記載の車両座席構造。
【請求項９】
前記少なくとも１つのアウトボード座席後部ストライカが円形断面を有する概してＵ型形状であり、前記係止区分仕切り部が前記円形断面の円周を囲繞することを特徴とする請求項８に記載の車両座席構造。
【請求項１０】
前記左側座席及び右側座席が左側中列座席及び右側中列座席であることを特徴とする請求項１に記載の車両座席構造。
【請求項１１】
前記インボード車両座席を前記車両フレームに取り付けるためのインボード座席後部ストライカを更に備え、該インボード座席後部ストライカの横方向寸法が前記アウトボード座席後部ストライカよりも小さいことを特徴とする請求項１に記載の車両座席構造。
【請求項１２】
前記アウトボード座席後部ストライカの横方向寸法が前記インボード座席後部ストライカの横方向寸法の少なくとも約２倍であることを特徴とする請求項１１に記載の車両座席構造。
【請求項１３】
前記位置決め壁部の横方向に測定された幅が、前記係止区分仕切り部の横方向に測定された幅と略等しいことを特徴とする請求項６に記載の車両座席構造。
【請求項１４】
前記アウトボード車両座席が外側ライザを含み、前記アウトボード座席後部ラッチの少なくとも１つが該外側ライザに搭載され、前記位置決め機能部が該外側ライザの一部であることを特徴とする請求項７に記載の車両座席構造。
【手続補正２】
【補正対象書類名】明細書
【補正対象項目名】全文
【補正方法】変更
【補正の内容】
【書類名】明細書
【発明の名称】横方向スライド式車両座席
【背景】
【０００１】
本開示は概して、ワゴン車、ミニバン、ＳＵＶ車などの大きめの車両に見られる車両座席に関する。これらの大きめの車両は、運転者が位置する第１列座席、第１列の後ろの第２列座席、第２列の後ろの第３列座席、の３列の車両座席を含むことができる。第３列座席への進入およびそこからの退出は困難であり得る。中列座席とも呼ぶ第２列は、２つのアウトボード座席を含み、これらのアウトボード座席は、乗員が第３列座席へアクセスするのを可能とするように回動するか前方へ転倒する。しかしながら、各アウトボード座席の最外縁部は、車両の側枠ピラーの近辺に配置されている。従って、第３列座席への進入およびそこからの退出のための空間は依然限られている。
【０００２】
第２列座席のアウトボード座席の幅を減少することによって進入・退出のための空間をより多く確保することが可能である。しかしながら、これにより、チャイルドシートと一般に呼ばれる子供用拘束装置に問題が生じる可能性がある。これらの公知のチャイルドシートは通常車両座席上に載置され、そこに係止される。これらの第２列の座席にチャイルドシートを支持するための最低限の幅が望まれるため、アウトボード座席の幅を減少することは実用的ではないかもしれない。
【課題を解決するための手段】
【０００３】
本発明によれば、アウトボード座席前部ストライカおよび少なくとも２つのアウトボード座席後部ストライカを含む、車両フレームに連結された複数のストライカであって、前記アウトボード座席後部ストライカのうちの少なくとも１つが、該少なくとも１つのアウトボード座席後部ストライカを少なくとも２つの横方向に離間した係止区分に分割する係止区分仕切り部を含む、複数のストライカと；
横方向に互いに間隔をおいて並列配置される左側座席及び右側座席で構成される左右のアウトボード車両座席と；
前記左側座席及び右側座席間に設けられるインボード車両座席と；を備え、
前記アウトボード車両座席が、前記インボード車両座席に対し同列で且つ横方向にオフセットした配置とされる車両座席構造であって、
前記アウトボード車両座席が、各々のアウトボード座席後部ストライカとそれぞれ協働する少なくとも２つのアウトボード座席後部ラッチと、前記アウトボード座席前部ストライカと協働するアウトボード座席前部ラッチとを含むと共に、横方向に調節可能であって、前記アウトボード座席後部ラッチの少なくとも１つが、前記少なくとも２つの横方向に離間した係止区分の各々で前記少なくとも１つのアウトボード座席後部ストライカと係合するように構成されていることを特徴とする車両座席構造が提案される。
【簡単な説明】
【０００４】
即ち、前記欠点を克服可能である調節可能な車両座席構造は、複数のストライカ、インボード車両座席、およびアウトボード車両座席を含む。これら複数のストライカは、アウトボード座席前部ストライカと少なくとも２つのアウトボード座席後部ストライカとを含む。アウトボード座席後部ストライカのうち少なくとも１つは、この少なくとも１つのアウトボード座席後部ストライカを少なくとも２つの横方向に離間した係止区分に分割する係止区分仕切り部を含む。アウトボード車両座席は、それぞれのアウトボード座席後部ストライカと協働する少なくとも２つのアウトボード座席後部ラッチと、アウトボード座席前部ストライカと協働するアウトボード座席前部ラッチとを含む。アウトボード座席は、インボード車両座席に対して同列であると共に横方向にオフセットしている。アウトボード車両座席は横方向に調節可能であって、アウトボード座席後部ラッチのうち少なくとも１つが、前記少なくとも２つの横方向に離間した係止区分の各々で前記少なくとも１つのアウトボード座席後部ストライカと係合するように構成されている。
【０００５】
車両座席を横方向に調節する方法は、車両座席の後部ラッチと後部ストライカとの係合を解除すること、後部ストライカから離間するように車両座席を回動すること、後部ラッチと後部ストライカとの係合が解除されている間に車両座席を横方向に移動すること、および後部ラッチを後部ストライカに係合することを含む。この方法は、車両座席の後部ラッチと、車両フレームに連結した後部ストライカとの係合を解除することを含むことができる。この方法は更に、車両座席の前部ラッチが車両フレームに連結した前部ストライカに係合している間に、後部ストライカから離間するように車両座席を回動することを含むことができる。この方法は更に、後部ラッチと後部ストライカとの係合を解除しそして後部ラッチが離間するように回動され、前部ラッチが前部ストライカに係合している間に、車両座席を横方向に移動することを含むことができる。
【０００６】
車両座席アセンブリは、車両座席と、後部ストライカと、前部ストライカとを含む。車両座席は、第１横方向位置と、第１横方向位置から横方向にオフセットした第２横方向位置とに作動可能である。車両座席は、座席を車両フレームに固定するための後部ラッチと前部ラッチとを含む。後部ストライカは、車両座席を車両フレームに固定するための後部ラッチと協働する。後部ストライカは、概して円筒形状の水平区分と、水平区分を第１係止区分と第２係止区分とに分割する略環状係止区分仕切り部とを含む。後部ラッチは車両座席が第１横方向位置にあるときに第１係止区分に係合し、後部ラッチは車両座席が第２横方向位置にあるときに第２係止区分に係合する。前部ストライカは、車両座席を車両フレームに固定するために前部ラッチと協働する。
【図面の簡単な説明】
【０００７】
図１は車両用の中列座席構造の斜視図である。
【０００８】
図２は車両用の中列ストライカ構造の斜視図である。
【０００９】
図３は図２に示す中列ストライカ構造の右外側ストライカ構造の拡大斜視図である。
【００１０】
図４は図１に示す中列座席構造の右側座席の下部分と図３に示す右外側ストライカ構造の一部分の斜視図である。
【００１１】
図５は図１に示す右側座席の部品と図２に示すストライカ構造の部分の斜視図である。      【００１２】
図６は図１に示す右側座席と図３に示す右外側ストライカ構造の側面図である。
【００１３】
図７は図１に示す右側座席の内部部品と図３に示す右外側ストライカ構造の斜視図である。
【００１４】
図８は後部ストライカに係合する、図１に示す右側座席のための後部ラッチの側面図である。
【詳細な説明】
【００１５】
図１を参照して、車両用の中列座席構造１０は、インボード（センター）車両座席１２と、例示の実施態様では右側座席１４および左側座席１６を含むアウトボード車両座席とを含むよう示されている。例えば、中列座席構造は、ワゴン車、ミニバン、またはＳＵＶにおける第２列座席であることができる。各アウトボード座席１４，１６は、インボード座席１２と概して横方向に整列、つまり同列にあり、またインボード座席１２から横方向にオフセットしている。例示の実施態様では、中央座席とも言及することができるインボード座席１２は、座席ベース部２０と座席背後部２２とを含む。右側座席１４も座席ベース部２４と座席背後部２６とを含む。左側座席１６も座席ベース部２８と座席背後部３２とを含む。各座席背後部２２，２６，３２は、それぞれのベース部２０，２４，２８に対して従来の方法で回動可能である。
【００１６】
図２を参照して、中列ストライカ構造４０が示される。中列ストライカ構造４０は、車両フレーム（図示せず）に連結されて車両床部４２上に配置される複数のＵ型形状のストライカを含む。例示の実施態様の各ストライカは、円形断面を有する金属棒材から形成される。所望により、詳細を後述する後部ストライカの少なくともいくつかは、他の場所で車両フレームに取り付けることができる。中列ストライカ構造４０は、例示の実施態様ではインボード座席右側後部ストライカ４４とインボード座席左側後部ストライカ４６とを含むインボード座席後部ストライカを含む。また、図示の中列ストライカ構造４０は、例示の実施態様ではインボード座席右側前部ストライカ４８とインボード座席左側前部ストライカ５２とを含むインボード座席前部ストライカを含む。
【００１７】
また、中列ストライカ構造４０を構成する複数のストライカは、例示の実施態様では右側座席外側後部ストライカ６０と、右側座席内側後部ストライカ６２と、左側座席外側後部ストライカ６４と、左側座席内側後部ストライカ６６とを含むアウトボード座席後部ストライカを含む。また、例示の実施態様で中列ストライカ構造４０を構成する複数のストライカは、例示の実施態様では右側座席外側前部ストライカ７０と、右側座席内側前部ストライカ７２と、左側座席外側前部ストライカ７４と、左側座席内側前部ストライカ７６とを含むアウトボード座席前部ストライカを含む。
【００１８】
図２を引き続き参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造を含む。例示の実施態様のガーニッシュ８０，８２，８４，８６，８８，９０はプラスチック製であり、従来の方法で車両床部４２に取り付けられる。右側座席外側後部ストライカ６０および右側座席外側前部ストライカ７０はそれぞれ外右側ガーニッシュ８０にある開口部を貫通する。インボード座席右側後部ストライカ４４および右側座席内側後部ストライカ６２はそれぞれ内右側後部ガーニッシュ８２にある開口部を貫通する。インボード座席右側前部ストライカ４８および右側座席内側前部ストライカ７２は内右側前部ガーニッシュ８４にある開口部を貫通する。インボード座席右後部ストライカ４６および左側座席内側後部ストライカ６６はそれぞれ内左側後部ガーニッシュ８６にある開口部を貫通する。インボード座席左前部ストライカ５２および左側座席内側前部ストライカ７６はそれぞれ内左側前部ガーニッシュ８８にある開口部を貫通する。左側座席外側後部ストライカ６４および左側座席外側前部ストライカ７４はそれぞれ外左側ガーニッシュ９０にある開口部を貫通する。外右側ガーニッシュ８０は外左側ガーニッシュ９０の鏡像であってもよい。内右側後部ガーニッシュ８２は内左側後部ガーニッシュ８６の鏡像であってもよい。内右側前部ガーニッシュ８４は内左側前部ガーニッシュ８８の鏡像であってもよい。
【００１９】
複数の概してＵ型形状のストライカ４４，４６，４８，５２，６０，６２，６４，６６，７０，７２，７４，７６は、少なくとも２つのアウトボード座席後部ストライカ、例えばストライカ６０，６２，６４，６６、および少なくとも２つのアウトボード座席前部ストライカ、例えばストライカ７０，７２，７４，７６を含む。例示の実施態様では、アウトボード座席後部ストライカの少なくとも１つ、例えばストライカ６０，６４が、それぞれ少なくとも１つのアウトボード座席後部ストライカを、詳細を後述する少なくとも２つの横方向に離間した係止区分に分割する係止区分仕切り部１００，９８を含む。
【００２０】
次に、車両床部４２（従って、車両床部に連結される車両フレーム）に連結する右側座席１４の部品を示す図３〜図５を参照する。左側座席１６も同様に連結されるので、左側座席が同様の構成となることを理解した上で、図３〜図５に示す部品を詳細に説明する。      【００２１】
図３により明らかに示されるように、前記アウトボード座席後部ストライカの１つである右側座席外側後部ストライカ６０は、右側座席外側後部ストライカを、例示の実施態様では第１（内側）係止区分１０２と第２（外側）係止区分１０４である、少なくとも２つの横方向に離間した係止区分に分割する係止区分仕切り部１００を含む。上述したように、各ストライカは概してＵ型形状であり、図３に示すように右側座席外側後部ストライカ６０は、係止区分１０２，１０４を含む概して円筒形状の水平区分１０６を含む。右側座席外側後部ストライカ６０はまた、車両フレームに固定、例えば溶接することができる概して垂直方向に配向した区分１０８，１１０を含む。
【００２２】
例示の実施態様では、係止区分仕切り部１００は環状隆起部である。環状隆起部１００は、概して円筒形状の水平区分１０６を囲繞し、外側垂直区分１０８と内側垂直区分１１０の間の横方向中心部に配設される。他の実施態様では、係止区分仕切り部９８，１００はそれぞれの水平区分上のいかなる場所にも配置可能であり、また、係止区分仕切り部は、水平区分を完全に囲繞する環状隆起部でなくてもよく、概して水平区分から延出する突出部などの他の構造とすることが可能である。
【００２３】
図３を再び参照して、外右側ガーニッシュ８０は、右側座席外側後部ストライカ６０と右側座席外側前部ストライカ７０とを収納する窪み部１２０を画成する。窪み部１２０は、右側座席１４の横方向調節を許容する横方向寸法を有する。この横方向調節の詳細は後述する。また、外右側ガーニッシュ８０は、中列座席構造１０（図１）を搭載した車両の進行方向と概して平行である長手方向で係止区分仕切り部１００と整列する位置決め壁部１２２を含む。例示の実施態様では、位置決め壁部１２２は、窪み部１２０内部で後部ストライカ６０と前部ストライカ７０との間に配設される。例示の実施態様ではまた、横方向に測定される位置決め壁部１２２の幅は、横（軸）方向に測定される係止区分仕切り部１００の幅と略等しい。位置決め壁部１２２は右側座席１４と協働して、詳細を後述する方法で横方向に右側座席を位置決めする。
【００２４】
再び図１を参照して、中央車両座席１２は、インボード（センター）車両座席１２を車両フレーム（図示せず）に搭載可能とする従来の方法でストライカ４４，４６，４８，５２（図２）に取り付けられる。中央座席１２は、中央座席前部ストライカ４８，５２（図２）と協働する前部ラッチ（図示せず）と、中央座席後部ラッチ４４，４６（図２）と協働する後部ラッチ（図示せず）とを備える。中央座席後部ラッチ（図示せず）は、従来の方法で中央座席１２が中央座席前部ストライカ４８，５０により概して規定された軸の周りを回動するように、中央座席後部ストライカ４４，４６から取外し可能である。
【００２５】
上述したようにアウトボード車両座席とも言及される右側座席１４は、それぞれのアウトボード座席後部ストライカとそれぞれ協働する少なくとも２つのアウトボード座席後部ラッチと、それぞれのアウトボード座席前部ストライカとそれぞれ協働する少なくとも２つのアウトボード座席前部ラッチとを含む。右側座席ラッチを図４〜図７を参照して説明する。左側座席１６も、同様に作動するラッチ（図に示さない）を含む。右側座席ラッチの詳細を説明するが、左側座席ラッチも同様に作動することを理解されたい。
【００２６】
図５を参照して、例示の実施態様では、右側座席外側後部ラッチ１５０は右側座席外側後部ストライカ６０と協働し、右側座席内側後部ラッチ１５２は右側座席内側後部ストライカ６２と協働する。また、右側座席外側前部ラッチ１５４は右側座席外側前部ストライカ７０と協働し、右側座席内側前部ラッチ１５６は右側座席内側前部ストライカ７２と協働する。例示の実施態様では、後部ラッチ１５０，１５２は、後部ラッチとそれぞれの後部ストライカ６０，６２との係合を解除することを可能とする、詳細を後述する移動可能部品を含む。後部ラッチ１５０，１５２と後部ストライカ６０，６２との係合を解除するとき、前部ラッチ１５４，１５６は前部ストライカ７０，７２と係合したままである。これは、前部ラッチ１５４，１５６が、右側座席１４の部品を構成するライザ１６０、１６２にそれぞれ固定されているからである。
【００２７】
図６を参照して、右側座席１４（左側座席１６も同様に）は、右側座席前部ストライカ７０，７２（図５）により概して規定された軸Ｈの周りに回動可能である。公知の横方向に調節可能な座席と違って、右側座席１４は、ラッチのセットの１つだけによって横方向に調節可能であり、より詳しくは、後部ラッチ１５０，１５２がそれぞれのストライカとの係合を解除される。従って、右側座席後部ラッチ１５０，１５２がそれぞれの後部ストライカ６０，６２との係合を解除され、右側座席前部ラッチ１５４，１５６がそれぞれの前部ストライカ７０，７２と係合しているときは、右側座席１４は前部ストライカ７０，７２により概して規定された軸Ｈの周りに回動可能であり、このとき座席は、軸Ｈと概して平行であって長手方向に直交する横方向に移動可能となる。
【００２８】
右側座席後部ラッチ１５０は、第１作動位置、第２作動位置、および第３作動位置に作動可能である。第１作動位置（図４参照）では、右側座席外側後部ラッチ１５０は第１係止区分１０２で右側座席外側後部ストライカ６０と係合する。第２作動位置では、右側座席外側後部ラッチ１５０は、第２区分１０４（図５参照）で右側座席後部ストライカ６０と係合する。第３作動位置（図６）では、右側座席外側後部ラッチ１５０は、右側座席外側後部ストライカ６０との係合を解除する。右側座席外側後部ラッチが第１作動位置（図４に示す）にあるとき、係止区分仕切り部１００は右側座席外側後部ラッチ１５０に接触して、右側座席外側後部ラッチが第１係止区分１０２から第２係止区分１０４側へ横方向に移動するのを阻止することができる。同様に、右側座席外側後部ラッチが第２作動位置にあるとき、係止区分仕切り部１００は右側座席外側後部ラッチ１５０に接触して、右側座席外側後部ラッチが第２係止区分１０４から第１係止区分１０２側へ横方向に移動するのを阻止することができる。
【００２９】
図７を参照して、右側座席外側後部ラッチ１５０の作動をより詳細に説明する。上述したように、例示の実施態様では他のアウトボード座席である左側座席１６は、ほとんど同様に作動する外側後部ラッチを含む。右側座席外側後部ラッチ１５０は外側ライザ１６０に搭載され、右側座席外側後部ラッチに連動・連結されるレバーアーム部１７０により作動される。図７に示す右側座席１４は、ライザ１６０と、ライザ１６０に連結されたトラック１７２（各アウトボード座席に２つのトラックが設けられる）と、トラックに取り付けられたクッションフレーム部１７４とを含む。クッションフレーム部１７４およびトラック１７２は、車両フレームに対して右側座席１４の長手方向の調節を可能とするように協働する。レバーアーム部１７０は、例示の実施態様ではブラケット１７６および垂直に整列したピンまたは心棒１７８によりクッションフレーム部１７４に取り付けられる。ブラケット１７６はクッションフレーム部１７４に固定され、レバーアーム部１７０がピンにより規定される垂直軸の周りに回動することを可能とするようにピン１７８がブラケットに連結される。例示の実施態様では、２つのケーブル、すなわち第１の鞘１８２で被覆された第１ケーブル１８０および第２の鞘１８６で被覆された第２ケーブル１８４が、一端でレバーアーム部１７０に連結され、他端でそれぞれの後部ラッチ１５０、１５２（図５も参照）に連結される。引き続き図７を参照して、右側座席外側後部ラッチ１５０はブラケット１８８を使用してライザ１６０に連結される。右側座席外側前部ラッチ１５４は、座席が横方向に移動または回動するとき右側座席外側前部ラッチ１５４がライザ１７２と一緒に（右側座席１４の残部と一緒に）移動するように、留め具１９０，１９２によりライザ１６０に固定される。
【００３０】
図８を参照して、残りのアウトボード座席後部ラッチと同様に構成された右側座席外側後部ラッチ１５０は、カム体部２０２と協働するフック体部２００を含む。フック体部２００は円筒状留め具２０４を使用してライザ１６０に取り付けられ、カム体部２０２も円筒状留め具２０６を使用してライザ１６０に取り付けられる。円筒状留め具２０４，２０６は従来のボルトおよび／またはリベットでもよい。これらの留め具２０４，２０６は、フック体部２００およびカム体部２０６がそれぞれ各円筒状留め具の中心にある水平軸の周りに回転することを許容するように構成されている。
【００３１】
フック体部２００は、少なくとも２つの横方向に離間した係止区分、例えば第１係止区分１０２および第２係止区分１０４（図４参照）のそれぞれで右側座席外側後部ストライカ６０と係合するフック機能部２１０を含む。フック体部２００はまた付属部２１２を含む。付属部２１２には、第１バネ開口部２１４が形成される。フック体部２００はまた、カム体部２０２に対して作用するカム表面２１６を含む。
【００３２】
カム体部２０２はフック体部２００のカム表面２１６に対して乗りあがるカム表面２１８を含む。カム体部２０２はまた第２バネ開口部２２２およびケーブル開口部２２４を含む。引張バネ２３０が、一端でフック体部２００に形成された第１バネ開口部２１４に、他端でカム体部２０２に形成された第２バネ開口部２２２に連結される。
【００３３】
図８は、右側座席外側後部ラッチ１５０、より具体的には右側座席外側後部ストライカ６０に係合するフック体部２００のフック機能部２１０を示す。右側座席外側後部ラッチ１５０、つまりフック機能部２１０を右側座席外側後部ストライカ６０との係合から解除するために、操作者はレバーアーム部１７０を、ピン１７８により規定された垂直軸の周りに回転するよう引っ張る。これにより、ケーブル１８０が右方向に移動し（図８に示す配置において）、その結果カム体部２０２が時計回りに回転する（図８に示す配置において）。カム体部２０２のカム表面２１８は、フック体部２００のカム表面２１６に乗り上げ、カム体部２０２のカム表面２１８がフック体部２００のカム表面２１６に係合しなくなるまでフック体部２００を反時計回りに回転する。従って、引張バネ２３０はフック体部２００を付属部２１２でカム体部２０２側へ引っ張り、その結果フック体部２００が円筒状留め具２０４の中心に規定された水平軸の周りを時計回りに回動することになる（図８に示す配置において）。この位置では、フック機能部２１８は右側座席外側後部ストライカ６０ともはや係合していない。従って、右側座席外側後部ストライカ６０から離間するように図６に示す位置へ右側座席１４を回動することが可能となる。
【００３４】
右側座席１４が右側座席外側後部ストライカ６０から離間するように回動されたことで、係止区分仕切り部１００は右側座席外側後部ラッチ１５０ともはや係合していない。これにより、右側座席１４を、車両床部４２（および車両フレーム）に対して横方向に移動することが可能となる。右側座席１４は横方向内側に押すことができ、車両の第３列座席への進入およびそこからの退出のためのアクセス空間を増加できる。あるいは、右側座席１４は横方向外側に引っ張ることができ、中央座席１２と右側座席１４との間の幅を増加し、中央座席にチャイルドシートを取り付けやすくできる。
【００３５】
車両座席を横方向に調節する方法は、車両座席、例えば右側車両座席１４および左側車両座席１６の、後部ラッチ、例えば後部ラッチ１５０，１５２と、車両フレームに連結された後部ストライカ、例えば後部ストライカ６０，６２，６４，６６との係合を解除することを含むことができる。この方法は更に、車両座席の前部ラッチ、例えば前部ラッチ１５４，１５６が、車両フレームに連結された前部ストライカ、例えば前部ストライカ７０，７２に係合している間に、車両座席を後部ストライカから離間するように回動することを含むことができる。この方法は更に、後部ラッチが後部ストライカとの係合を解除し、後部ラッチが後部ストライカから離間するように回動し（すなわち、後部ラッチが後部ストライカにもはや接触していない）、かつ前部ラッチが前部ストライカと係合している間に、車両座席を横方向に移動することを含むことができる。この方法は更に、後部ラッチを後部ストライカに係合することを含むことができる。図６により明らかに示されるように、この方法は更に、後部ラッチ１５０が後部ストライカ６０上の突出部、例えば環状係止区分仕切り部１００を越えるように、車両座席１４を回動することを含むことができる。
【００３６】
図２を再び参照して、車両座席構造はまた、外右側ガーニッシュ８０と、内右側後部ガーニッシュ８２と、内右側前部ガーニッシュ８４と、内左側後部ガーニッシュ８６と、内左側前部ガーニッシュ８８と、外左側ガーニッシュ９０とを含む中列ガーニッシュ構造４０を含む。上述したように、外右側ガーニッシュ８０は右側座席外側後部ストライカ６０および右側座席外側前部ストライカ７０が収納される窪み部１２０を画成し、この窪み部１２０は右側座席１４の横方向調節を可能とする横方向寸法を有する。内右側後部ガーニッシュ８２はまた、内側窪み部２４０および外側窪み部２４２を画成する。インボード座席右側後部ストライカ４４が内側窪み部２４０に収納され、右側座席内側後部ストライカ６２が外側窪み部２４２に収納される。また、内右側前部ガーニッシュ８４は内側窪み部２４４および外側窪み部２４６を画成する。インボード座席右側前部ストライカ４８が内側窪み部２４４に収納され、右側座席内側前部ストライカ７２が外側窪み部２４６に収納される。また、内左側後部ガーニッシュ８６は内側窪み部２４８および外側窪み部２５２を画成する。インボード座席右後部ストライカ４６が内側窪み部２４８に収納され、左側座席内側後部ストライカ６６が外側窪み部２５２に収納される。また、内左側前部ガーニッシュ８８は内側窪み部２５４および外側窪み部２５６を画成する。インボード座席左前部ストライカ５２が内側窪み部２５４に収納され、左側座席内側前部ストライカ７６が外側窪み部２５６に収納される。また、外左側ガーニッシュ９０は窪み部２５８を画成する。左側座席外側後部ストライカ６４および左側座席外側前部ストライカ７４が窪み部２５８に収納される。
【００３７】
アウトボード座席１４，１６用ストライカをそれぞれ収納する窪み部１２０，２４２，２４６，２５２，２５６，２５８は、アウトボード座席の横方向調節を可能とする横方向寸法を有する。従って、窪み部１２０，２４２，２４６，２５２，２５６，２５８の横方向寸法は、インボード座席１２用ストライカをそれぞれ収納する窪み部２４０，２４４，２４８，２５４よりも大きい。アウトボード座席ストライカ６０，６２，６４，６６，７０，７２，７４，７６を収納する窪み部１２０，２４２，２４６，２５２，２５６，２５８の横方向寸法は、インボード（センター）座席ストライカ４４，４６，４８，５２を収納する窪み部２４０，２４４，２４８，２５４の横方向寸法の少なくとも約２倍であってもよい。
【００３８】
図２を引き続き参照して、概してＵ型形状の中央座席ストライカ４４，４６，４８，５２の横方向寸法は、アウトボード座席ストライカ６０，６２，６４，６６，７０，７２，７４，７６よりも小さい。より具体的には、アウトボード座席後部ストライカの横方向寸法は、インボード座席後部ストライカの横方向寸法の少なくとも約２倍であってもよい。上述したように、アウトボード座席１４，１６は横方向に調節可能である。しかしながら、例示の実施態様では、インボード（センター）座席１２は横方向に調節可能ではない。従って、アウトボード座席１４，１６用のラッチは、少なくとも２つの係止位置、例えば図３に示す係止区分１０２，１０４で、それぞれアウトボード座席ストライカ，６０，６２，６４，６６，７０，７２，７４，７６に係合する。中央座席は横方向に固定されているので、中央座席ストライカ４４，４６，４８，５２の横方向寸法は小さくてもよい。
【００３９】
図４を再び参照して、右側座席１４は、外右側ガーニッシュ８０上の位置決め壁部１２２と協働する位置決め機能部２７０を含んでもよい。位置決め機能部２７０は、外側ライザ１６０の一部でもよい（図７参照）。右側座席後部ラッチ１５０が第１作動位置にあるときは、図４に示すように、位置決め機能部２７０は、右側座席１４が外側へ移動するのを阻止するように位置決め壁部１２２に係合可能である。右側座席後部ラッチ１５０が図５に示す第２作動位置にあるときは、位置決め機能部２７０は、右側座席１４が内側へ移動するのを阻止するように位置決め壁部１２２に係合可能である。左側座席も同様な位置決め機能部を含むことができる。
【００４０】
横方向に調節可能な車両座席を詳細に説明した。上記の詳細な説明を読んで理解した上で、変更・置換することがあろう。例えば、前記係止区分仕切り部は、外側後部ラッチではなく内側後部ラッチに配置されることが可能であり、前記アウトボード座席用後部ラッチはストライカが車両ピラーに連結されるハイラッチ構造のストライカに連結することが可能である。本発明は上記の実施態様に限定されるものではない。本発明は、添付の請求項およびその均等物により広く定義されるものである。
【００４１】
上記に開示または他の様々な特徴・機能またはその代替・変更は、他の多くの異なるシステムや用途と好適に組み合わせることができることを理解されたい。また、当業者によって引き続き行われるであろう現在予期または予測不能な様々な代替、置換、変更、改良も、下記の請求項の範囲に含まれることを意図するものであることも理解されたい。
【国際調査報告】
2013512135.tif 000012